(57)【要約】【課題】自動車の使用想定温度において動作し、消費電力及び装置コストを低減させる。【解決手段】路面映像投射装置１０は、路面の複数の領域に映像を表示する。路面映像投射装置１０は、映像投射光を領域ごとの映像に対応する所定の形状に成形するシェード７１〜７４と、それぞれの領域に対応する映像投射レンズ２１〜２４と、を備えている。映像投射レンズ２１〜２４は、焦点距離及び軸傾きの少なくとも一方が異なる。【選択図】図４
2020017488.tif 000002
【特許請求の範囲】
【請求項１】
路面の複数の領域に映像を表示する路面映像投射装置であって、
映像投射光を前記領域ごとの前記映像に対応する所定の形状に成形するシェードと、
複数の映像投射レンズと、
を備えている、
路面映像投射装置。
【請求項２】
請求項１に記載の路面映像投射装置において、
複数の前記映像投射レンズは、焦点距離及び軸傾きの少なくとも一方が異なる、
路面映像投射装置。
【請求項３】
請求項１に記載の路面映像投影装置において、
前記複数の映像投影レンズのうち少なくとも一つが、前記複数の領域の中で少なくとも２つの前記領域を投影する機能を有する、
路面映像投影装置。
【請求項４】
請求項１に記載の路面映像投射装置において、
複数の前記映像投射レンズに対応して設けられ、前記映像投射光を照射する固体光源と、
それぞれの前記固体光源に対応して設けられ、前記映像投射光を前記シェードへ導光する導光部材と、
を備えている、
路面映像投射装置。
【請求項５】
請求項４に記載の路面映像投射装置において、
前記導光部材は、耐熱性のライトガイドである、
路面映像投射装置。
【請求項６】
請求項４に記載の路面映像投射装置において、
前記導光部材の出射端は、凸面である、
路面映像投射装置。
【請求項７】
請求項６に記載の路面映像投影装置において、
前記導光部材の出射端は、凸面であり、かつ非球面又は自由曲面である、
路面映像投影装置。
【請求項８】
請求項７に記載の路面映像投射装置において、
前記導光部材の出射端の中央部の凸曲率に対して、周辺部の凸曲率が小さくなっている、
路面映像投射装置。
【請求項９】
請求項６に記載の路面映像投射装置において、
少なくとも一つの前記導光部材の入射端の傾きは、対応する前記固体光源の出射面の傾きと異なる、
路面映像投射装置。
【請求項１０】
請求項４に記載の路面映像投射装置において、
複数の前記導光部材が互いに連接されている、
路面映像投射装置。
【請求項１１】
請求項４に記載の路面映像投射装置において、
前記固体光源と、対応する前記導光部材との間の空隙に耐熱性透明部材が充填されている、
路面映像投射装置。
【請求項１２】
請求項２に記載の路面映像投射装置において、
少なくとも１個の前記映像投射レンズは、切り欠き部を有する、
路面映像投射装置。
【請求項１３】
請求項４に記載の路面映像投射装置において、
前記シェードは、中央部から周縁部へ向けて、対応する前記映像投射レンズ側へ湾曲している、
路面映像投射装置。
【請求項１４】
請求項４に記載の路面映像投射装置において、
それぞれの前記固体光源に対応して設けられ、前記導光部材の位置決めを行う導光部材固定具を備えている、
路面映像投射装置。
【請求項１５】
路面の複数の領域に映像を表示する路面映像投射装置と、
ターンランプ表示装置と、
を備え、
前記路面映像投射装置は、映像投射光を前記領域ごとの前記映像に対応する所定の形状に成形するシェードと、それぞれの前記領域に対応する映像投射レンズと、を有し、
前記ターンランプ表示装置は、それぞれの前記領域に対応するターンランプ表示部を有し、
それぞれの前記ターンランプ表示部は、対応する前記領域に前記映像が表示されているときにターンランプを表示する、
車両用灯具。
【発明の詳細な説明】
【技術分野】
【０００１】
本発明は、路面映像投射装置及び車両用灯具に関する。
【背景技術】
【０００２】
プロジェクタに代表される映像投射装置は、所望の映像を拡大して投射するための装置として、既に広い分野で利用されている。また、近年では、パーソナルコンピュータや携帯電話の画面を拡大表示するための表示装置としても広く利用されている。さらに、映像投射装置は、車両にも搭載され、路面に映像を投射する路面映像投射装置としても使用されている。
【０００３】
このような、路面映像投射装置として、例えば次の特許文献１〜２が知られている。特許文献１には、車両のヘッドライトを外部光源として路面に映像を投射する投射表示装置が開示されている。特許文献１によれば、この投射表示装置は、低消費電力であり携帯性に優れている。
【０００４】
特許文献２に記載のプロジェクタは、車両の中に組み込まれ、ヘッドライトの前に配置されている。ヘッドライト機能時、プロジェクタは、ヘッドライトから光取り出し口に至る光路を遮らないように配置される。そして、プロジェクタ機能時、プロジェクタは、ヘッドライトから光取り出し口に至る光路中に配置され、ヘッドライトを光源として、光学像を外部に投射する。プロジェクタは、例えば、自動車の現在位置に関する情報や進行方向に関する情報等を光学像として道路上に表示する。
【０００５】
特許文献２によれば、映像を表示可能な状態にするに要する作業量を極めて少なくでき、また、この作業が極めて簡単で、セッティング作業の自動化も可能である。
【０００６】
また、車両用灯具として、例えば次の特許文献３〜４が知られている。特許文献３には、ＬＥＤが長尺方向に沿って一列に配列された発行手段を備えた補助信号灯具が開示されている。また、特許文献４には、シーケンシャル表示させることができる車両用灯具が開示されている。特許文献４の車両用灯具は、４つのＬＥＤ光源が実装された光源ユニットと、ＬＥＤ光源から照射される光を前方に出射する導光体と、を備えている。この車両用灯具は、３以上のＬＥＤ光源を順次点灯又は順次消灯させることでシーケンシャル表示を行う。
【先行技術文献】
【特許文献】
【０００７】
【特許文献１】特開平８−４３７８１号公報
【特許文献２】特開２００４−１３６８３８号公報
【特許文献３】特開２００５−１４２０６０号公報
【特許文献４】特開２０１７−１８３２８７号公報
【発明の概要】
【発明が解決しようとする課題】
【０００８】
しかしながら、自動車の使用想定環境である０℃以下や６０℃以上の温度条件下や車両からの振動環境下では、自動車に搭載されたプロジェクタの動作は困難である。また、プロジェクタの消費電力が大きいため、これに対応する電源が必要となる。また、特許文献２では、一つの光学系で路面の広い領域に映像を投射するため、収差により周縁部における映像の画質低下が発生する。このような画質低下を防ぐためには、高価な硝材を複数枚備えた光学系が必要となるが、そうすると、路面映像投射装置が高価になってしまう。
【０００９】
さらに、車両用灯具は他の構造部品が多く、装置の小型化も求められる。また、車両用灯具には、従来機能のＬＥＤ光源や光源を制御する基板等が設けられているため、装置コストが高くなる。
【００１０】
本発明は、上述した従来技術における問題点に鑑みてなされたものであり、自動車の使用想定温度、振動環境においても動作し、消費電力及び装置コストを低減し、装置サイズも小型化した路面映像投射装置及び車両用灯具を提供することを目的とする。
【課題を解決するための手段】
【００１１】
本願において開示される発明のうち、代表的なものの概要を簡単に説明すれば、以下のとおりである。
【００１２】
本発明の代表的な実施の形態による路面映像投射装置は、路面の複数の領域に映像を表示する。路面映像投射装置は、映像投射光を領域ごとの映像に対応する所定の形状に成形するシェードと、それぞれの領域に対応する投射光学系と、を備えている。
【００１３】
また、本発明の代表的なその他の実施の形態による車両用灯具は、路面の複数の領域に映像を表示する路面映像投射装置と、ターンランプ表示装置と、を備えている。路面映像投射装置は、映像投射光を領域ごとの映像に対応する所定の形状に成形するシェードと、それぞれの領域に対応する映像投射レンズと、を有している。ターンランプ表示装置は、それぞれの領域に対応するターンランプ表示部を有している。それぞれのターンランプ表示部は、対応する前記領域に前記映像が表示されているときにターンランプを表示する。
【発明の効果】
【００１４】
本願において開示される発明のうち、代表的なものによって得られる効果を簡単に説明すれば以下のとおりである。
【００１５】
すなわち、本発明の代表的な実施の形態によれば、自動車の使用想定温度において動作し、消費電力及び装置コストを低減した路面映像投射装置及び車両用灯具を提供することが可能となる。
【図面の簡単な説明】
【００１６】
【図１】本発明の実施の形態１に係る路面映像投射装置の設置状況の一例を示す図である。
【図２】本発明の実施の形態１に係る路面映像投射装置の使用状況を説明する図である。
【図３】本発明の実施の形態１に係る路面映像投射装置の外観を示す斜視図である。
【図４】本発明の実施の形態１に係る路面映像投射装置の内部構成の一例を示す斜視図である。
【図５】本発明の実施の形態１に係る投射光学系の構成の一例を示す斜視図である。
【図６】本発明の実施の形態１に係る投射光学系における映像投射光の光路の一例を示す図である。
【図７】本発明の実施の形態１に係る固体光源付近を拡大して示す図である。
【図８】ライトガイドの形状と、出射される映像投射光とを対応させて示す図である。
【図９】投射光学系と表示される映像とを比較して示す図である。
【図１０】本発明の実施の形態１に係る投射光学系における映像投射光の光路の他の一例を示す図である。
【図１１】本発明の実施の形態２に係る車両用灯具の使用状況を説明する図である。
【図１２】本発明の実施の形態２に係る車両用灯具の外観を示す斜視図である。
【図１３】本発明の実施の形態２に係る車両用灯具の内部構成の一例を示す斜視図である。
【図１４】本発明の実施の形態２に係る投射光学系及びターンランプ表示光学系の構成の一例を示す斜視図である。
【図１５】本発明の実施の形態２に係る投射光学系及びターンランプ表示光学系における映像投射光の光路の一例を示す図である。
【図１６】本発明の実施の形態３に係る路面映像投射装置の外観を示す斜視図である。
【図１７】本発明の実施の形態３に係る路面映像投射装置の内部構成の一例を示す斜視図である。
【図１８】本発明の実施の形態３に係る投射光学系の構成の一例を示す斜視図である。
【図１９】本発明の実施の形態３に係る投射光学系における映像投射光の光路の一例を示す図である。
【図２０】本発明の実施の形態３に係るライトガイドの構成の一例を示す図である。
【図２１】本発明の実施の形態３に係る投射光学系の例を示す図である。
【発明を実施するための形態】
【００１７】
以下、本発明の実施の形態の例を、図面を用いて説明する。なお、以下に説明する実施の形態は、本発明を実現するための一例であり、本発明が適用される装置の構成や各種条件によって、適宜修正又は変更されるべきものであり、本発明は以下の実施の形態に限定されるものではない。また、後述する各実施形態の一部を適宜組み合わせて構成されてもよい。
【００１８】
（実施の形態１）
＜路面映像投射装置の設置状況＞
図１は、本発明の実施の形態１に係る路面映像投射装置の設置状況の一例を示す図である。図１（ａ）は、路面投射装置が設置された自動車の外観を示す斜視図、図１（ｂ）は、自動車の照明部付近の拡大図である。図１に示すように、本実施の形態に係る路面映像投射装置１０は、例えば自動車１に設置される。
【００１９】
具体的には、路面映像投射装置１０は、自動車１の前部両端の照明部５（５ａ，５ｂ）にそれぞれ設けられる。なお、図１（ｂ）には照明部５ｂの拡大図が示されていないが、照明部５ｂは、自動車１の進行方向に対して照明部５ａと対称である。このため、以下では、主に照明部５ａについて説明する。その際、照明部５ｂの路面映像投射装置１０ｂと混乱を来さない範囲で、照明部５ａの路面映像投射装置１０ａを路面映像投射装置１０と表記する場合がある。
【００２０】
照明部５は、図１（ｂ）に示すように、車体中央から周辺に向けて前照灯３ａ，２ａ、路面映像投射装置１０ａが設けられている。前照灯３ａはいわゆるハイビーム、前照灯２ａはいわゆるロービームである。
【００２１】
図２は、本発明の実施の形態１に係る路面映像投射装置の使用状況を説明する図である。路面映像投射装置１０は、図２に示すように、路面の複数の領域に映像３１〜３４を表示する。具体的には、路面映像投射装置１０は、進行方向の右手前方の領域に、自動車１の進行方向を示す矢印を映像３１〜３４として表示する。図２では、矢印の映像３２が実線で表示されているが、路面映像投射装置１０は、矢印の映像３１〜３４を順次切り替えながら路面に表示する。また、路面映像投射装置１０は、映像３４を表示した後、映像３１〜３４の矢印を繰り返し表示する。
【００２２】
＜路面映像投射装置の構成＞
図３は、本発明の実施の形態１に係る路面映像投射装置の外観を示す斜視図である。図４は、本発明の実施の形態１に係る路面映像投射装置の内部構成の一例を示す斜視図である。図５は、本発明の実施の形態１に係る投射光学系の構成の一例を示す斜視図である。図５（ａ）は、固体光源、シェード、及び投射レンズの対応関係を示し、図５（ｂ）は、シェードと、映像投射レンズとの対応関係をより詳細に示している。図６は、本発明の実施の形態１に係る投射光学系における映像投射光の光路の一例を示す図である。なお、図６では、映像投射レンズ２３を含む投射光学系の光路の例が示されている。
【００２３】
図３に示すように、路面映像投射装置１０は、ケース１１、投影レンズ板２０を備えている。投影レンズ板２０は、ケース１１の前面に固定されている。投影レンズ板２０は、図３〜図５に示すように、映像投射レンズ２１〜２４を備え、これらの映像投射レンズ２１〜２４と一体で形成されている。例えば、投影レンズ板２０及び映像投射レンズ２１〜２４は、射出成型により一体で形成される。したがって、映像投射レンズ２１〜２４は、それぞれ１枚のレンズのみで構成される。投影レンズ板２０及び映像投射レンズ２１〜２４の材料として、例えば、アクリル、ポリカーボネイト、ポリオレフィル等の樹脂が最適である。映像投射レンズ２１〜２４の構成については、後で詳しく述べる。
【００２４】
ケース１１は、図４，図５に示す各部材を内部に収容する。具体的に述べると、ケース１１は、映像投射レンズ２１と対応する、固体光源４１ａ，４１ｂ、ライトガイド（導光部材）６１ａ，６１ｂ、シェード７１等を収容する。同様に、ケース１１は、映像投射レンズ２２と対応する、固体光源４２ａ，４２ｂ、ライトガイド６２ａ，６２ｂ、シェード７２等を収容する。同様に、ケース１１は、映像投射レンズ２３と対応する、固体光源４３ａ，４３ｂ，４３ｃ、ライトガイド６３ａ，６３ｂ，６３ｃ、シェード７３等を収容する。同様に、ケース１１は、映像投射レンズ２４と対応する、固体光源４４ａ，４４ｂ，４４ｃ，４４ｄ、ライトガイド６４ａ，６４ｂ，６４ｃ，６４ｄ、シェード７４等を収容する。
【００２５】
これらのうち、映像投射レンズ２１、固体光源４１ａ，４１ｂ、ライトガイド６１ａ，６１ｂ、及びシェード７１は、映像３１を表示する領域に対応する投射光学系を構成する。同様に、映像投射レンズ２２、固体光源４２ａ，４２ｂ、ライトガイド６２ａ，６２ｂ、及びシェード７２は、映像３２を表示する領域に対応する投射光学系を構成する。同様に、映像投射レンズ２３、固体光源４３ａ，４３ｂ，４３ｃ、ライトガイド６３ａ，６３ｂ，６３ｃ、及びシェード７３は、映像３３を表示する領域に対応する投射光学系を構成する。同様に、映像投射レンズ２４、固体光源４４ａ，４４ｂ，４４ｃ，４４ｄ、ライトガイド６４ａ，６４ｂ，６４ｃ，６４ｄ、及びシェード７４は、映像３４を表示する領域に対応する投射光学系を構成する。
【００２６】
それぞれの投射光学系は、図６に示すように、固体光源から出射された映像投射光がライトガイドによりシェードへ導光される。そして、シェードにより成形された映像投射光は、映像投射レンズにより対応する領域へ向けて屈折する。
【００２７】
図７は、本発明の実施の形態１に係る固体光源付近を拡大して示す図である。図７（ａ）は、固体光源付近の斜視図であり、図７（ｂ），図７（ｃ）は、図７（ａ）のＡ−Ａ’断面図である。なお、図７は、固体光源４３ｂが一例として挙げられているが、これ以外の固体光源とその周辺も同様の構成である。
【００２８】
固体光源は、例えば、ＬＥＤ等であり、映像を表示するための映像投射光を照射する。図４〜図５に示す例では、それぞれの光学系に対応する固体光源が設けられている。ただし、このような構成に限定されることはなく、固体光源が複数の光学系に対応しても構わない。また、固体光源は、光学系ごとに１個のみ設けられてもよいし、図４〜図５に示すように、複数個設けられてもよい。図４〜図５に示す例では、自動車１から近い、映像３１〜３２を表示する領域に対応する光学系には、２個の固体光源がそれぞれ設けられている。一方、自動車１から遠い、映像３３〜３４を表示する領域に対応する光学系には、３個〜４個の固体光源がそれぞれ設けられている。
【００２９】
固体光源は、図７（ｂ），（ｃ）に示すように、ハンダ層１２ｇを介して基板１２に実装されている。これにより、固体光源から発生する熱は、基板１２を介して放熱される。
【００３０】
ライトガイドは、それぞれの固体光源に対応して設けられ、固体光源から照射される映像投射光を、対応するシェードへ導光する部材である。ライトガイドは、対応する固体光源付近に入射端が配置され、対応するシェード付近に出射端が配置されるように設置される。入射端に入射された映像投射光は、出射端からシェードへ向けて出射される。
【００３１】
ライトガイドは、固体光源（ＬＥＤ）に近接して配置されるので、透明性及び１２０℃以上の耐熱性を有する材料からなる。したがって、ライトガイドには、例えば、ポリカーボネイト、ポリオレフィル、シリコーン等の樹脂が好適である。ライトガイドは、例えば、金型を用いた射出形成により形成される。
【００３２】
図８は、ライトガイドの形状と、出射される映像投射光とを対応させて示す図である。図８（ａ）は、本実施の形態の場合を示し、図８（ｂ）は、比較例の場合を示している。図８では、映像投射レンズ２３を含む投射光学系が一例として示されているが、他の映像投射レンズ２１，２２，２４を含む投射光学系においても同様である。
【００３３】
図８（ａ）に示すように、本実施の形態では、ライトガイド６３ａ〜６３ｃの出射端は、凸面となっている。これにより、ライトガイド６３ａ〜６３ｃから出射される映像投射光の発散角が小さくなっている。このため、固体光源４３ａ〜４３ｃから出射され、シェード７３を通過した映像投射光は、ほぼ映像投射レンズ２３へ到達している。このように、ライトガイド６３ａ〜６３ｃの出射端が凸面となっていることにより、映像投射光を効率的に利用することが可能となる。
【００３４】
これに対し、図８（ｂ）の比較例では、ライトガイド６３０ａ〜６３０ｃの出射端は平面になっている。そうすると、ライトガイド６３０ａ〜６３０ｃから出射される映像投射光の発散角が大きくなり、投射映像光が広がってしまうので、映像投射光を効率的に利用することができない。そうすると、光量不足により投射される映像が暗くなってしまう。
【００３５】
また、本実施の形態では、複数のライトガイドが連接されている。例えば、図５（ａ）に示す例では、同一の投射光学系に設けられたライトガイドが連接されている。具体的には、固体光源４１ａ，４１ｂに対応するライトガイド６１ａ，６１ｂが連接されている。また、固体光源４２ａ，４２ｂに対応するライトガイド６２ａ，６２ｂが連接されている。また、固体光源４３ａ，４３ｂ，４３ｃに対応するライトガイド６３ａ，６３ｂ，６３ｃが連接されている。そして、固体光源４４ａ，４４ｂ，４４ｃ，４４ｄに対応するライトガイド６４ａ，６４ｂ，６４ｃ，６４ｄが連接されている。
【００３６】
また、これら以外にも、隣り合う投射光学のライトガイドが連接されても構わない。複数個連接されたライトガイドも、金型を用いた射出形成により一体で形成される。
【００３７】
ライトガイドには、例えば、図５に示すライトガイド固定部６４ｆや、図６に示すライトガイド固定部６３ｆ等のライトガイド固定部が設けられている。ライトガイドの下方には、ライトガイドを支持するライトガイド支持部材１３が配置されている。それぞれのライトガイド固定部は、ライトガイド支持部材１３に設けられた溝と嵌合し、ライトガイドは、ライトガイド支持部材１３に固定される。ライトガイド固定部も、射出形成により、対応するライトガイドとともに一体で形成される。
【００３８】
ライトガイドの入射端は、図７（ｂ），（ｃ）に示すように、固定具（導光部材固定具）５３ｂと接している。それぞれのライトガイドは、対応する固定具により位置決めされている。
【００３９】
固定具は、それぞれの固体光源に対応して設けられ、ライトガイドの位置決めを行う部材である。図７に示すように、固定具（例えば５３ｂ）は、対応する固体光源４３ｂと嵌合している。また、固定具５３は、テーパー部５３ｊを有している。テーパー部５３ｊは、対応するライトガイド６３ｂの入射端と線接触で嵌合している。これにより、ライトガイド６３ｂと、固体光源４３ｂとの相対的な位置決めがなされている。
【００４０】
また、図７（ｂ），（ｃ）に示すように、固定具５３ｂは凸部５３ｆを備えており、凸部５３ｆが基板１２に設けられた位置決め穴１２ｈと嵌合している。これにより、固定具５３ｂは、基板１２の所定の位置に固定されるようになっている。
【００４１】
また、それぞれの固定具は、図７に示すように、空気流入孔（例えば５３ｈ）を備えている。図７に示す固定具５３ｂの空気流入孔５３ｈは複数個であるが、これに限らず１個のみでも構わない。空気流入孔５３ｈは、対応するライトガイド６３ｂ側の空間と連通しており、対応する固体光源４３ｂの熱を、対流によりライトガイド６３ｂ側の空間へ放熱する。したがって、固体光源４３ｂで発生する熱は、基板１２及びライトガイド６３ｂ側の空間へ放熱される。
【００４２】
それぞれの固定具は、対応する固体光源と直に接しているため、１５０℃以上の耐熱性を有する耐熱性樹脂からなる。固定具の材料として、例えばシリコーン樹脂が好ましい。シリコーン樹脂は、耐熱性を有するとともに、量産に適した成形性を有している。
【００４３】
また、それぞれの固定具付近には、例えば図７（ｂ），（ｃ）に示すように、固体光源４３ｂと、対応するライトガイド６３ｂとの間に空隙が形成されている。この空隙は、例えば０．１〜０．２ｍｍ程度であるが、固定具５３ｂの形状により任意の値に調整可能である。なお、この空隙には、図７（ｃ）に示すように、例えばシリコーン樹脂からなる耐熱性透明部材５３ｉが充填されてもよい。これにより、固体光源から出射される映像投射光を効率よくライトガイドへ導光することが可能となる。
【００４４】
シェード７１〜７４は、固体光源から照射された映像投射光を、領域ごとの映像３１〜３４に対応する所定の形状に成形する部材である。シェード７１〜７４には、図５（ｂ）に示すように、開口部７１ｍ〜７４ｍがそれぞれ形成されている。開口部７１ｍ〜７４ｍの形状は、すでに述べた自動車の進行方向を示す矢印に対応している。具体的には、開口部７１ｍ〜７４ｍの形状は、対応する映像投射レンズ２１〜２４の特性を考慮して規定される。ライトガイドから出射された映像投射光は、対応するシェード７１〜７４の開口部７１ｍ〜７４ｍにより矢印の形状に遮光され、映像投射レンズ２１〜２４に達する。
【００４５】
それぞれのシェード７１〜７４は、中央部から周縁部へ向けて、対応する映像投射レンズ２１〜２４側へ湾曲している。図８（ａ）を例に挙げると、シェード７３は、ライトガイド６３ｂ付近の中心部と比較して、ライトガイド６３ａ，６３ｃ付近の周縁部が映像投射レンズ２３側へ湾曲している。
【００４６】
後述するように、映像投射レンズ２１〜２４は、樹脂製のレンズ１枚で構成されている。このため、映像投射レンズの像面湾曲が大きく、シェードが平面で構成されていると、周辺部で映像がデフォーカスし、鮮明な映像を表示することができない場合がある。そこで、図８（ａ）に示すように、シェードの周縁部を映像投射レンズ側へ湾曲させることにより、像面湾曲に相当する曲率をシェードに与えている。これにより、鮮明な映像を表示させることが可能となる。
【００４７】
図４〜図５に示すシェード７１〜７４は、映像３１〜３４が表示されるそれぞれの領域に対応して設けられており、互いに独立している。ただし、開口部７１ｍ〜７４ｍが形成されていれば、このような構成に限定されることはなく、シェード７１〜７４が一体で構成されていても構わない。
【００４８】
図９は、投射光学系と表示される映像とを比較して示す図である。図９（ａ）は、湾曲したシェードで構成された投射光学系と表示される映像とを示し、図９（ｂ）は、シェードが平面で構成された投射光学系と表示される映像とを示している。
【００４９】
図９（ａ）に示すように、シェードが湾曲している場合、鮮明な映像が表示される。一方、図９（ｂ）に示すように、シェードが平面である場合、図９（ａ）と比較すると、周辺がやや不鮮明な映像が表示される。ただし、図９（ｂ）の場合であっても、映像の視認性に与える影響はわずかである。
【００５０】
映像投射レンズ２１〜２４は、映像が表示されるそれぞれの領域と対応しており、対応する領域に映像を投射する。例えば、映像投射レンズ２１は、映像３１を表示する領域と対応し、映像３１を投射する。同様に、映像投射レンズ２２〜２４は、映像３２〜３４を表示する領域とそれぞれ対応し、映像３２〜３４をそれぞれ投射する。言い換えれば、映像投射レンズ２１は、自動車１から最も近い領域と対応し、映像投射レンズ２２〜２４は、自動車１から順次離れた領域とそれぞれ対応している。
【００５１】
それぞれの映像投射レンズ２１〜２４は、焦点距離及び軸傾きの少なくとも一方が異なっている。例えば、映像投射レンズ２１は、自動車１から近い領域に映像３１を投射するため、焦点距離が最も短い。そして、自動車１から遠くなるごとに、対応する映像投射レンズの焦点距離が長くなっている。このように、映像が投影される位置が異なるので、映像投射レンズ２１〜２４の焦点距離は異なっている。
【００５２】
同時に、路面に対する映像の入射角が異なるので、それに対応して映像投射レンズ２１〜２４の軸傾きはそれぞれ異なる。
【００５３】
図４〜図５では、いずれの投射光学系においても映像投射光が概ね同じ方向に照射される場合が示されているが、例えば、投射光学系ごとに映像投射光の照射方向が異なっていてもよい。この場合、複数の映像投射レンズの軸傾きをそれに対応させる。ただし路面に投影される映像品質が許容出来れば、レンズ傾きが同一であっても構わない。また、図４〜図５では、映像投射レンズ２１〜２４は、横一線に並んで配置されているが、このような構成に限定されるものではない。したがって、映像投射レンズの配置によっては、複数の映像投射レンズの焦点距離が同じであっても構わない。
【００５４】
図１０は、本発明の実施の形態１に係る投射光学系における映像投射光の光路の他の一例を示す図である。図１０は、例えば映像投射レンズ２１を含む投射光学系の光路の例を示している。
【００５５】
映像投射レンズ２２〜２４を含む投射光学系は、例えば図６に示すような構成となっている。一方、映像投射レンズ２１を含む投射光学系は、自動車１に最も近い領域に映像を表示するため、出射した映像投射光を自動車１の右前方の直下に屈曲させる必要がある。そこで、映像投射レンズ２１は、図１０に示すように、映像投射光の入射範囲をレンズの中心軸２１ｃに対して上側へオフセットさせている。また、映像投射レンズ２１は、ケース１１の基準軸（例えば、映像投射レンズ２２〜２４の中心軸）に対して下方へ傾斜している。この構成により、映像投射レンズ２１における屈曲角が大きくなっている。
【００５６】
ただし、この構成では、映像投射レンズ２１が他の映像投射レンズ２２〜２４と比較して大きくなってしまうことや、映像投射レンズ２１が下方へ傾斜していることから、映像投射レンズ２１がケース１１内に収めることができない。そこで、本実施の形態では、映像投射レンズ２１は、切り欠き部２１ａ，２１ｂを設け、ケース１１に収まらない部分が取り除かれている。
【００５７】
具体的には、映像投射レンズ２１の前面の上側が取り除かれ、切り欠き部２１ａが形成されている。また、映像投射レンズ２１の下側が取り除かれ、切り欠き部２１ｂが形成されている。なお、切り欠き部２１ａ，２１ｂは、図１０に示すように、映像投射光が透過しない部分である。
【００５８】
なお、図５（ｂ）で示した様に、映像投射レンズ２１で投影する矢印形状に相当するシェードの開口部７１ｍは、他の開口部である７２ｍ、７３ｍ、７４ｍに比べ、縦サイズが大きくなっている。その理由は、投影レンズ２１用いた路面に投影する映像光の入射角が他の投影レンズを用いた映像光の入射角より小さくなり、路面に投影する映像光の縦方向拡大率が小さくなるためである。
【００５９】
前記縦サイズが大きくなっているため、映像投射レンズに対する画角が大きくなり、投影画像全体での明るさを均一に保つのが困難となる。その対策として、この光学系のみ投影画像の均一性を改善するため、導光体６１ａとシェード７１間に拡散板７１ｄを備える。
【００６０】
なお、ここでは、映像投射レンズ２１にのみ切り欠き部が形成された例を取り上げたが、必要に応じてこれ以外の映像投射レンズ２２〜２４にも切り欠き部が形成されても構わない。このように、本実施の形態では、少なくとも１個の映像投射レンズは、切り欠き部を有する。
【００６１】
＜本実施の形態による主な効果＞
本実施の形態によれば、路面映像投射装置１０は、それぞれの領域に対応するシェード及び映像投射レンズを備えている。この構成によれば、シェードにより映像が形成されるのでプロジェクタが不要となる。これにより、自動車の使用想定温度においても動作することが可能となり、消費電力及び装置コストを低減させることが可能となる。
【００６２】
また、領域ごとの各映像を、対応する専用の映像投射レンズで投影するので、それぞれの映像投射レンズ２１〜２４の収差設計を最適化することができる。これにより、それぞれの映像投射レンズ２１〜２４を１枚のレンズで構成することができるので、装置コストを低減させることが可能となる。
【００６３】
また、本実施の形態によれば、それぞれの映像投射レンズ２１〜２４は、焦点距離及び軸傾きの少なくとも一方が異なる。この構成によれば、投射光学系ごとに映像投射光を屈曲させる方向を異ならせることができるので、映像を表示させる領域を自在に設定することが可能となる。
【００６４】
また、本実施の形態によれば、ライトガイドの出射端は、凸面である。この構成によれば、ライトガイドから出射される映像投射光の発散角が小さくなるので、映像投射光を効率的に利用することが可能となる。これにより、映像投射光の光量を抑えつつ、同等の明るさの映像を表示することが可能となる。
【００６５】
また、本実施の形態によれば、複数のライトガイドが連接されている。この構成によれば、ライトガイドの取り扱いが容易となるとともに、複数のライトガイドを一度に形成することができるので、ライトガイドの生産性が向上する。
【００６６】
また、本実施の形態によれば、固体光源と、対応するライトガイドとの間の空隙に耐熱性透明部材が充填されている。この構成によれば、固体光源から出射される映像投射光を効率よくライトガイドへ導光することが可能となる。
【００６７】
また、本実施の形態によれば、少なくとも１個の前記映像投射レンズは、切り欠き部を有する。この構成によれば、大きなレンズを用いても、映像投射光が透過しない部分を取り除くことができるので、映像を表示できる領域をより拡大させることが可能となる。また、これにより、ケース１１に入らない部分が取り除かれるので、ケース１１のサイズの増大が抑えられる。これにより、路面映像投射装置１０の増大が抑えられ、設置場所の選択肢を広げることが可能となる。
【００６８】
また、本実施の形態によれば、それぞれの領域に対応するシェードが設けられている。この構成によれば、シェードを小型化することができるので、投射光学系の設計自由度を向上させることが可能となる。
【００６９】
また、本実施の形態によれば、シェードは、中央部から周縁部へ向けて、対応する映像投射レンズ側へ湾曲している。この構成によれば、映像投射レンズの像面湾曲に相当する曲率をシェードに与え、鮮明な映像を表示させることが可能となる。
【００７０】
また、本実施の形態によれば、それぞれの固定具は、空気流入孔を備えている。この構成によれば、空気流入孔とライトガイドとが連通されるので、対流により固体光源の熱を放熱させることが可能となる。これにより、放熱能力が向上するので、固体光源の劣化が抑えられ、装置寿命を延ばすことが可能となる。
【００７１】
（実施の形態２）
次に、実施の形態２について説明する。本実施の形態では、実施の形態１に係る路面映像投射装置を備えた車両用灯具について説明する。本実施の形態に係る車両用灯具では、路面に表示される映像と、表示されるターンランプとが関連付けられている。なお、以下では、前述の実施の形態と重複する箇所について、原則として詳細な説明を省略する。
【００７２】
＜車両用灯具の設置状況＞
図１１は、本発明の実施の形態２に係る車両用灯具の使用状況を説明する図である。図１１（ａ）は、路面の各領域に対応する映像が表示される様子を示しており、図１１（ｂ）は、映像投射とターンランプ表示とを対応させて示している。
【００７３】
車両用灯具１００は、実施の形態１と同様、図１１（ａ）に示すように例えば自動車１に設置される。車両用灯具１００は、図１１（ｂ）に示すように、路面映像投射装置１０及びターンランプ表示装置８０を備えている。そして、車両用灯具１００の路面映像投射装置１０は、図２と同様、図１１（ａ）に示すように、路面の複数の領域に、例えば矢印の映像３１〜３４を表示する。
【００７４】
図１１（ａ）では、矢印の映像３３が表示された場合が示されているが、このとき、ターンランプ表示装置８０では、図１１（ｂ）に示すように、映像３３に対応するターンランプ表示部８３がターンランプを表示している。
【００７５】
路面映像投射装置１０は、矢印の映像３１〜３４を順次切り替えながら路面に表示する。そして、ターンランプ表示装置８０でも、映像３１〜３４に対応するターンランプ表示部８１〜８４が、対応するターンランプを順次切り替えながら表示する。したがって、ターンランプ表示装置８０は、映像３１〜３４に同期して、ターンランプをシーケンス表示することが可能である。
【００７６】
＜車両用灯具の構成＞
図１２は、本発明の実施の形態２に係る車両用灯具の外観を示す斜視図である。図１３は、本発明の実施の形態２に係る車両用灯具の内部構成の一例を示す斜視図である。図１４は、本発明の実施の形態２に係る投射光学系及びターンランプ表示光学系の構成の一例を示す斜視図である。図１４（ａ）は、固体光源、シェード、投射レンズ、及びターンランプ用ライトガイドの対応関係を示し、図１４（ｂ）は、シェードと、ターンランプ用ライトガイドとの対応関係をより詳細に示している。図１５は、本発明の実施の形態２に係る投射光学系及びターンランプ表示光学系における映像投射光の光路の一例を示す図である。なお、図１５では、映像投射レンズ２３を含む投射光学系、及びターンランプ表示部８３を含むターンランプ表示光学系の光路の例が示されている。なお、路面映像表示装置１０については、実施の形態１において詳しく説明したので、説明は省略する。
【００７７】
ターンランプ表示装置８０は、右折又は左折時に、自動車１の進行方向を後続の自動車や歩行者等に知らせるターンランプを表示する装置である。ターンランプ表示装置８０は、図１２〜図１３に示すように、ターンランプ表示部８１〜８４を備えている。また、ターンランプ表示装置８０は、図１３〜１４に示すように、ターンランプ表示用ライトガイド（ターンランプ表示用導光部材）９１〜９４を備えている。
【００７８】
ターンランプ表示部８１〜８４は、ターンランプを表示する部材である。ターンランプ表示部８１〜８４は、例えばレンズ板２０の上端付近に配置されている。具体的には、ターンランプ表示部８１〜８４は、対応する映像投射レンズ２１〜２４付近にそれぞれ配置されている。それぞれのターンランプ表示部８１〜８４は、例えば、映像投射レンズ２１〜２４の配列方向に延在する矩形状になっており、レンズ板２０に沿って細長の形状となっている。
【００７９】
また、ターンランプ表示部８１〜８４は、映像が表示されるそれぞれの領域に対応している。具体的には、ターンランプ表示部８１は映像３１が表示される領域に対応する。ターンランプ表示部８２は映像３２が表示される領域に対応する。ターンランプ表示部８３は映像３３が表示される領域に対応する。ターンランプ表示部８４は映像３４が表示される領域に対応する。
【００８０】
ターンランプ表示部８１〜８４は、対応する領域に映像３１〜３４が表示されているときにターンランプを表示する。すなわち、車両用灯具１００は、路面への映像表示とターンランプとを同時に表示させることが可能である。
【００８１】
それぞれのターンランプ表示部８１〜８４には、所定の拡散パターンが形成されている。ターンランプ表示用表示部８１〜８４は、この拡散パターンに基づいてターンランプ表示用の光を拡散することにより所定の配光パターンでターンランプを表示する。
【００８２】
ターンランプ表示用ライトガイド９１〜９４は、ターンランプ表示部８１〜８４ごとに設けられている。ターンランプ表示用ライトガイド９１〜９４は、対応するターンランプ表示部８１〜８４へ映像投射光を導光する。すなわち、固体光源から照射される映像投射光は、映像投射用に用いられるとともに、ターンランプ表示用の光としても用いられる。言い換えれば、固体光源は、映像投射及びターンランプ表示に係る共通の光源となっている。
【００８３】
図１５に示すように、ターンランプ表示用ライトガイド（例えば９３）の入力端は、対応するライトガイド（例えば６３）の出射端付近に配置されている。すなわち、ターンランプ表示用ライトガイドは、対応するライトガイドの前方に配置されている。具体的には、ターンランプ表示用ライトガイドは、対応するライトガイドの上部に入射端が配置されている。これにより、図１５に示すように、ライトガイドの上部から出射される映像投射光はターンランプ表示用に用いられ、それ以外の映像投射光は映像投射用に用いられる。
【００８４】
ターンランプ表示用ライトガイド９１〜９４は、固体光源から隔離されている。また、ターンランプ表示用の光は、映像投射用に用いられる光よりも光強度が強くない。したがって、ターンランプ表示用ライトガイド９１〜９４の材料は、ライトガイドと同じ材料であってもよいし、ライトガイドよりも耐熱性が低いアクリル等の樹脂でもよい。
【００８５】
図１４（ｂ），図１５に示すように、それぞれのシェードは、ターンランプ表示用ライトガイドの入射端に対応する開口部を有する。この開口部は、ライトガイドの出射端から出射されるライトガイド表示用の光を、対応するターンランプ表示用ライトガイドへ入射させるために形成される。
【００８６】
具体的には、開口部９１ｍは、ターンランプ表示用ライトガイド９１と対応している。開口部９２ｍは、ターンランプ表示用ライトガイド９２と対応している。開口部９３ｍは、ターンランプ表示用ライトガイド９３と対応している。開口部９４ｍは、ターンランプ表示用ライトガイド９４と対応している。
【００８７】
＜本実施の形態による主な効果＞
本実施の形態によれば、実施の形態１における各効果に加え、以下の効果が得られる。本実施の形態によれば、車両用灯具１は、路面映像投射装置と、ターンランプとを備え、ターンランプ表示部は、対応する領域に映像が表示されているときにターンランプを表示する。この構成によれば、路面への映像投射と、ターンランプとが同時に表示されるので、自動車１の進行方向がより伝わりやすくなる。
【００８８】
また、本実施の形態によれば、映像投射光を、対応するターンランプ表示部へ導光するターンランプ表示用ライトガイドを備えている。また、ターンランプ表示用ライトガイドの入力端は、対応するライトガイドの出射端付近に配置されている。そして、シェードは、ターンランプ表示用ライトガイドの入射端に対応する開口部を有する。この構成によれば、映像投射光をターンランプ表示用の光としても用いることが可能となる。また、これにより、固体光源を共通化することができ、消費電力及び装置コストを低減することが可能となる。
【００８９】
（実施の形態３）
次に、実施の形態３について説明する。実施の形態１〜２では、映像を表示する領域ごとに投射光学系が構成された路面映像投射装置等について説明した（図１，図１１等を参照）。照明部５（５ａ，５ｂ）に、路面映像投射装置等の設置スペースが十分に確保されていれば、設置の際に特段の問題が生じることはないが、自動車の形態によっては、設置スペースが十分に確保できない場合もあり得る。そこで、本実施の形態では、狭い設置スペースにも対応可能な路面映像投射装置について説明する。
【００９０】
図１６は、本発明の実施の形態３に係る路面映像投射装置の外観を示す斜視図である。図１７は、本発明の実施の形態３に係る路面映像投射装置の内部構成の一例を示す斜視図である。図１８は、本発明の実施の形態３に係る投射光学系の構成の一例を示す斜視図である。図１８（ａ）は、固体光源、シェード、及び投射レンズの対応関係を示し、図１８（ｂ）は、シェードと、映像投射レンズとの対応関係をより詳細に示している。
【００９１】
図１６に示すように、路面映像投射装置２１０は、ケース２１１、投影レンズ板２２０を備えている。投影レンズ板２２０は、ケース２１１の前面に固定されている。投影レンズ板２２０は、図１６〜図１８に示すように、映像投射レンズ２１，２２，２２３を備え、これらの映像投射レンズ２１，２２，２２３と一体で形成されている。投影レンズ板２２０及び映像投射レンズ２１，２２，２２３は、これまでの実施の形態と同様、例えば射出成型により一体で形成される。したがって、映像投射レンズ２１，２２，２２３は、それぞれ１枚のレンズのみで構成される。また、投影レンズ板２２０及び映像投射レンズ２１，２２，２２３の材料も、これまでの実施の形態と同様である。映像投射レンズ２１，２２，２２３に対応する投射光学系の構成については、後で詳しく述べる。
【００９２】
ケース２１１は、図１７〜１８に示すように、映像投射レンズ２１と対応する、固体光源４１ａ，４１ｂ、ライトガイド（導光部材）６１ａ，６１ｂ、シェード２７１等を収容する。同様に、ケース２１１は、映像投射レンズ２２と対応する、固体光源４２ａ，４２ｂ、ライトガイド６２ａ，６２ｂ、シェード２７２等を収容する。同様に、ケース２１１は、映像投射レンズ２２３と対応する、固体光源４３ａ，４３ｂ，４３ｃ、ライトガイド６３ａ，６３ｂ，６３ｃ、シェード２７３等を収容する。さらに、ケース２１１は、映像投射レンズ２２３と対応する、固体光源４４ａ，４４ｂ，４４ｃ，４４ｄ、ライトガイド６４ａ，６４ｂ，６４ｃ，６４ｄ、シェード２７３等を収容する。
【００９３】
シェード２７１，２７２には、図１７，図１８（ｂ）に示すように、開口部２７１ｍ，２７２ｍがそれぞれ形成されている。また、シェード２７３には、開口部２７３ｍ，２７４ｍが形成されている。図１７，図１８（ｂ）に示す開口部２７１ｍ〜２７４ｍの形状は、切り欠き部を有する三角形であるが、自動車の進行方向を示すものであれば特に形状は限定されず、例えば、図４，図５（ｂ）に示す矢印等であってもよい。
【００９４】
ケース２１１内の部材のうち、映像投射レンズ２２３、固体光源４３ａ，４３ｂ，４３ｃ、ライトガイド６３ａ，６３ｂ，６３ｃ、及びシェード２７３（開口部２７３ｍ）は、例えば、図２の映像３３を表示する領域に対応する投射光学系を構成する。同様に、映像投射レンズ２２３、固体光源４４ａ，４４ｂ，４４ｃ，４４ｄ、ライトガイド６４ａ，６４ｂ，６４ｃ，６４ｄ、及びシェード２７３（開口部２７４ｍ）は、例えば、図２の映像３４を表示する領域に対応する投射光学系を構成する。
【００９５】
映像投射レンズ２２３は、２つの投射光学系の一部をなし、同時に２つの領域に映像を投影する機能を有する。なお、映像投射レンズ２１，２２を含むそれぞれの投射光学系には、図４〜５等に示すシェード７１，７２が設けられていたが、本実施の形態では、シェード２７１，２７２にそれぞれ変更されている。
【００９６】
図１９は、本発明の実施の形態３に係る投射光学系における映像投射光の光路の一例を示す図である。図１９には、映像投射レンズ２２３に係る複数の投射光学系の光路が示されている。図１９に示すように、上段には映像投射レンズ２２３、固体光源４３ａ，４３ｂ，４３ｃ、ライトガイド６３ａ，６３ｂ，６３ｃ、及びシェード２７３（開口部２７３ｍ）の投射光学系が構成され、下段には映像投射レンズ２２３、固体光源４４ａ，４４ｂ，４４ｃ，４４ｄ、ライトガイド６４ａ，６４ｂ，６４ｃ，６４ｄ、及びシェード２７３（開口部２７４ｍ）の投射光学系が構成されている。このように、映像投射レンズ２２３に係る複数の投射光学系は、上下に積層された構成となっている。
【００９７】
図１９に示すように、上段の投射光学系は、手前側の領域（映像３３に対応する領域）に映像を投射する。一方、下段に配置された投射光学系は、上段の投射光学系による投射領域よりも前方の領域（映像３４に対応する領域）に映像を投射する。
【００９８】
実施の形態１〜２では、固体光源を取り囲むように固定具が設けられ、固定具のテーパー部５３ｊにライトガイドの入射端が配置されることにより、ライトガイドが位置決めされている。一方、本実施の形態では、固定具は設けられていない。その代わりに、図１８（ａ）に示すように、ケース２１１内には、ライトガイドの入射端を支持するライトガイド支持部材２１４が設けられており、ライトガイド（６１ａ〜６４ａ等）の入力端は、ライトガイド支持部材２１４の端面２１４ａに載置され、対応する固体光源に対して位置決めされている。このように、本実施の形態では、ライトガイドは、ライトガイド支持部材１３，１４により支持されている。なお、図１８（ａ）では、上段に配置されたライトガイド６３ａ〜６３ｃのうち、ライトガイド６３ｂは、ライトガイド支持部材２１４の端面２１４ａに載置されていない。しかし、ライトガイド６３ｂは、両隣のライトガイド６３ａ，６３ｃと連接されているので、ライトガイド支持部材２１４に支持されていると言え、対応する固体光源に対しての位置決めも問題なく行われる。
【００９９】
図２０は、本発明の実施の形態３に係るライトガイドの構成の一例を示す図である。図２０（ａ）には、ライトガイド６１ａ〜６１ｂ，６２ａ〜６２ｂの構成例がそれぞれ示され、図２０（ｂ）には、ライトガイド６１ａ〜６１ｂ，６２ａ〜６２ｂの比較例としてのライトガイド６１０ａ〜６１０ｂ，６２０ａ〜６２０ｂの構成例がそれぞれ示されている。なお、図２０では、ライトガイド６１ａ〜６１ｂ，６２ａ〜６２ｂが例として示されているが、他のライトガイドにおいても同様である。
【０１００】
図２０（ａ）に示すように、ライトガイド６１ａ，６１ｂ及びライトガイド６２ａ，６２ｂは、互いの出射端が当接するように連接されている。これにより、ライトガイドの設置スペースを小さくすることが可能となる。一方、図２０（ｂ）に示す比較例では、ライトガイド６１０ａ，６１０ｂ及びライトガイド６２０ａ，６２０ｂは、互いに連接されている。しかし、互いの出射端は当接しておらず、所定の間隔を置いて配置されている。
【０１０１】
ライトガイド６１ａ〜６１ｂ，６２ａ〜６２ｂの出射端は、凸面であり、かつ非球面又は自由曲面で構成されている。これにより、ライトガイドの出射端の形状を自在に設定することができるので、映像投射光の出射方向（映像の投射方向）をより正確に調整することが可能となる。
【０１０２】
また、ライトガイド６１ａ〜６１ｂ，６２ａ〜６２ｂの出射端は、周辺部の凸曲率が、中央部の凸曲率より小さくなっている。これにより、映像投射光を有効に利用することができ、映像をより明るく表示させることが可能となる。
【０１０３】
図２１は、本発明の実施の形態３に係る投射光学系の例を示す図である。図２１は、映像投射レンズ２１を含む投射光学系のうち、固体光源４１ａ及びライトガイド６１ａの例を示しているが、固体光源４１ｂ及びライトガイド６１ｂも同様の構成である。図２１に示す投射光学系は、図１０に示す投射光学系と類似している。ただし、少なくとも一つのライトガイドの入射端の傾きが、対応する固体光源の出射面の傾きと異なるところが図１０とは異なっている。具体的には、固体光源４１ａの出射面４１ｓは、ライトガイド６１ａの入射端６１ｓと平行ではなく、ライトガイド６１ａの入射端６１ｓの上方を向いている。したがって、固体光源４１ａの出射面４１ｓから出射された映像投射光は、下方からライトガイド６１ａの入射端６１ｓに入射される。
【０１０４】
この構成によれば、ライトガイド６１ａの配置を自在に変更することができるので、映像投射光の光路調整が容易になる。これにより、自動車から近い領域に映像を投射することが可能となる。また、これにより、映像投射光を効果的に利用することができるので、図４等に示す拡散板７１ｄが不要となり、ケース２１１内の構成が簡略化される。
【０１０５】
本実施の形態による主な効果を示す。本実施の形態によれば、映像投射レンズ２２３が複数の投射光学系の構成要素となっている。この構成によれば、ケース２１１内の部品点数を削減することができるので、装置を小型化することが可能となり、狭い設置スペースにも対応可能な路面映像投射装置が提供される。
【０１０６】
なお、本発明は上記した実施の形態に限定されるものではなく、様々な変形例が含まれる。例えば、ここで述べた路面映像投射装置１０は、４個の投射光学系を備え、４つの領域に対し、それぞれ異なる投射光学系を用いて映像を表示しているが、５個以上の投射光学系を備えていてもよいし、２〜３個の投射光学系を備えていてもよい。
【０１０７】
また、ここで述べた映像投射レンズ２１〜２４、２２３は、１枚のレンズで構成されているが、コストの上昇が抑えられる範囲内で複数枚のレンズで構成されても構わない。また、ここで述べた路面映像投射装置１０には、投射光学系ごとに、対応する固体光源が設けられているが、このような構成に限定されず、例えば、前照灯２ａ，３ａから出射される光を取り込んで映像投射光として使用しても構わない。
【０１０８】
また、路面映像投射装置１０は、自動車１だけでなく、さまざまな場所に設置することができる。例えば、自動車１のような移動可能なものに設置されてもよいし、移動しない所定の場所に固定されても構わない。また、ここでは、矢印の映像を表示する場合が例として挙げられているが、その他の文字、記号、模様等が映像として表示されても構わない。
【０１０９】
また、ターンランプ表示用ライトガイドは、対応する固体光源から映像投射光を直接導光してもよい。この場合、固体光源付近に、ライトガイドの入射端及びターンランプ表示用ライトガイドの入射端が配置されることとなる。また、この場合、耐熱性等の観点から、ターンランプ表示用ライトガイドは、ライトガイドの同じ材料で形成されることが好ましい。
【０１１０】
また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換をすることが可能である。なお、図面に記載した各部材や相対的なサイズは、本発明を分かりやすく説明するため簡素化・理想化しており、実装上はより複雑な形状となる場合がある。
【０１１１】
以下、本発明の好ましい態様について付記する。
【０１１２】
［付記１］
路面の複数の領域に映像を表示する路面映像投射装置であって、
映像投射光を前記領域ごとの前記映像に対応する所定の形状に成形するシェードと、
複数の映像投射レンズと、
複数の前記映像投射レンズに対応して設けられ、前記映像投射光を照射する固体光源とを備え、
それぞれの前記固体光源に対応して設けられ、前記映像投射光を前記シェードへ導光する導光部材を備えた、路面映像投射装置。
【０１１３】
［付記２］
路面の複数の領域に映像を表示する路面映像投射装置であって、
映像投射光を前記領域ごとの前記映像に対応する所定の形状に成形するシェードと、
複数の映像投射レンズと、
複数の前記映像投射レンズに対応して設けられ、前記映像投射光を照射する固体光源と、
それぞれの前記固体光源に対応して設けられ、前記映像投射光を前記シェードへ導光する導光部材と、
それぞれの前記固体光源に対応して設けられ、前記導光部材の位置決めを行う導光部材固定具と、
を備え、
前記導光部材固定具は、対応する前記固体光源と互いに嵌合している、
路面映像投射装置。
【０１１４】
［付記３］
路面の複数の領域に映像を表示する路面映像投射装置であって、
映像投射光を前記領域ごとの前記映像に対応する所定の形状に成形するシェードと、
複数の映像投射レンズと、
複数の前記映像投射レンズに対応して設けられ、前記映像投射光を照射する固体光源と、
それぞれの前記固体光源に対応して設けられ、前記映像投射光を前記シェードへ導光する導光部材と、
それぞれの前記固体光源に対応して設けられ、前記導光部材の位置決めを行う導光部材固定具と、
を備え、
前記導光部材固定具は、耐熱性樹脂からなる、
路面映像投射装置。
【０１１５】
［付記４］
路面の複数の領域に映像を表示する路面映像投射装置であって、
映像投射光を前記領域ごとの前記映像に対応する所定の形状に成形するシェードと、
複数の映像投射レンズと、
複数の前記映像投射レンズに対応して設けられ、前記映像投射光を照射する固体光源と、
それぞれの前記固体光源に対応して設けられ、前記映像投射光を前記シェードへ導光する導光部材と、
それぞれの前記固体光源に対応して設けられ、前記導光部材の位置決めを行う導光部材固定具と、
を備え、
前記導光部材固定具は、空気流入孔を備えている、
路面映像投射装置。
【０１１６】
［付記５］
路面の複数の領域に映像を表示する路面映像投射装置と、
ターンランプ表示装置と、
を備え、
前記路面映像投射装置は、映像投射光を前記領域ごとの前記映像に対応する所定の形状に成形するシェードと、それぞれの前記領域に対応する映像投射レンズと、を有し、
前記ターンランプ表示装置は、それぞれの前記領域に対応するターンランプ表示部を有し、
それぞれの前記ターンランプ表示部は、対応する前記領域に前記映像が表示されているときにターンランプを表示する、
車両用灯具。
【０１１７】
［付記６］
付記５に記載の車両用灯具において、
それぞれの前記映像投射レンズは、焦点距離及び軸傾きの少なくとも一方が異なる、
車両用灯具。
【０１１８】
［付記７］
付記５に記載の車両用灯具おいて、
前記導光部材の出射端は、凸面である、
車両用灯具。
【０１１９】
［付記８］
付記５に記載の車両用灯具において、
複数の前記導光部材が互いに連接されている、
車両用灯具。
【０１２０】
［付記９］
付記５に記載の車両用灯具において、
前記固体光源と、対応する前記導光部材との間の空隙に耐熱性透明部材が充填されている、
車両用灯具。
【０１２１】
［付記１０］
付記８に記載の車両用灯具において、
前記耐熱性透明部材は、シリコーン樹脂からなる、
車両用灯具。
【０１２２】
［付記１１］
付記５に記載の車両用灯具において、
少なくとも１個の前記映像投射レンズは、切り欠き部を有する、
車両用灯具。
【０１２３】
［付記１２］
付記５に記載の車両用灯具において、
それぞれの前記領域に対応する前記シェードが設けられている、
車両用灯具。
【０１２４】
［付記１３］
付記１２に記載の車両用灯具において、
前記シェードは、中央部から周縁部へ向けて、対応する前記映像投射レンズ側へ湾曲している、
車両用灯具。
【０１２５】
［付記１４］
付記５に記載の車両用灯具において、
それぞれの前記固体光源に対応して設けられ、前記導光部材の位置決めを行う導光部材固定具を備えている、
車両用灯具。
【０１２６】
［付記１５］
付記１４に記載の車両用灯具において、
前記導光部材固定具は、耐熱性樹脂からなる、
車両用灯具。
【０１２７】
［付記１６］
付記５に記載の車両用灯具において、
前記路面映像投射装置は、それぞれの前記映像投射レンズに対応して設けられ、前記映像投射光を照射する固体光源と、それぞれの前記固体光源に対応して設けられ、前記映像投射光を前記シェードへ導光する導光部材と、を備え、
前記ターンランプ表示装置は、前記ターンランプ表示部ごとに設けられ、対応する前記ターンランプ表示部へ前記映像投射光を導光するターンランプ表示用導光部材を備えている、
車両用灯具。
【０１２８】
［付記１７］
付記１６に記載の車両用灯具において、
前記ターンランプ表示用導光部材の入力端は、対応する前記導光部材の出射端付近に配置され、前記映像投射光を照射する固体光源は、前記ターンランプを表示する固体光源と兼ねている、
車両用灯具。
【０１２９】
［付記１８］
付記１７に記載の車両用灯具において、
前記シェードは、前記ターンランプ表示用導光部材の前記入力端に対応する開口部を有する、
車両用灯具。
【０１３０】
［付記１９］
付記１８に記載の車両用灯具において、
前記導光部材及び前記ターンランプ導光部材は、ライトガイドである、
車両用灯具。
【符号の説明】
【０１３１】
１０，２１０…路面映像投射装置、２１〜２４，２２３…映像投射レンズ、２１ａ，２１ｂ…切り欠き部、３１〜３４…映像、４１ａ〜４１ｂ，４２ａ〜４２ｂ，４３ａ〜４３ｃ，４４ａ〜４４ｄ…固体光源、５１ａ〜５１ｂ，５２ａ〜５２ｂ，５３ａ〜５３ｃ，５４ａ〜５４ｄ…固定具、５３ｈ…空気流通孔、６１ａ〜６１ｂ，６２ａ〜６２ｂ，６３ａ〜６３ｃ，６４ａ〜６４ｄ…ライトガイド、７１〜７４…シェード、８０…ターンランプ表示装置、８１〜８４…ターンランプ表示部、９１〜９４…ターンランプ表示用ライトガイド、９１ｍ〜９４ｍ…開口部、１００…車両用灯具
【図１】
2020017488.tif 000003
【図２】
2020017488.tif 000004
【図３】
2020017488.tif 000005
【図４】
2020017488.tif 000006
【図５】
2020017488.tif 000007
【図６】
2020017488.tif 000008
【図７】
2020017488.tif 000009
【図８】
2020017488.tif 000010
【図９】
2020017488.tif 000011
【図１０】
2020017488.tif 000012
【図１１】
2020017488.tif 000013
【図１２】
2020017488.tif 000014
【図１３】
2020017488.tif 000015
【図１４】
2020017488.tif 000016
【図１５】
2020017488.tif 000017
【図１６】
2020017488.tif 000018
【図１７】
2020017488.tif 000019
【図１８】
2020017488.tif 000020
【図１９】
2020017488.tif 000021
【図２０】
2020017488.tif 000022
【図２１】
2020017488.tif 000023